(57)【要約】【課題】本発明の目的は、プラテンガラス上に滞留する浮遊ゴミやプラテンガラスに付着する付着ゴミに起因するスジ画像の発生を防止することである。【解決手段】原稿Ｐの画像情報を読み取る読取位置１６０に設けられたプラテンガラス１６１と、前記プラテンガラス１６１と所定の隙間をもって対向するプラテンローラ２４と、を有し、前記読取位置１６０上を搬送される原稿Ｐの画像を読み取ることが可能な画像読取装置１５０であって、エアーを供給するファン１６５と、前記ファン１６５から供給されたエアーを噴射するフラットエアーノズル１６６と、を有し、前記フラットエアーノズル１６６を、前記読取位置１６０よりも原稿搬送方向上流側に、原稿搬送方向と交差する幅方向全域にわたって設け、前記プラテンガラス１６１と原稿Ｐとの間にエアーを噴射するように設けたことを特徴とする。【選択図】    図１
2006276131.tif 000002
【特許請求の範囲】
【請求項１】
原稿の画像情報を読み取る読取位置に設けられたプラテンガラスと、前記プラテンガラスと所定の隙間をもって対向する対向部材と、を有し、前記読取位置上を搬送される原稿の画像を読み取ることが可能な画像読取装置であって、
空気を供給する空気供給手段と、前記空気供給手段から供給された空気を噴射する空気噴射部と、を有し、
前記空気噴射部を、前記読取位置よりも原稿搬送方向上流側に、原稿搬送方向と交差する幅方向全域にわたって設け、前記プラテンガラスと原稿との間に空気を噴射するように設けたことを特徴とする画像形成装置。
【請求項２】
前記読取位置よりも原稿搬送方向下流側に設けられ、前記読取位置を通過した原稿を案内するガイド部材を有し、前記ガイド部材には前記空気噴射部から噴射された空気の抜ける空気抜け部が設けられていることを特徴とする請求項１に記載の画像読取装置。
【請求項３】
前記空気供給手段の動作を制御する制御手段を有し、原稿が読取位置にあるときのみ前記空気供給手段を動作させて空気の噴射を行うことを特徴とする請求項１又は請求項２に記載の画像読取装置。
【請求項４】
原稿先端が読取位置に到達したときに前記空気供給手段を動作させて空気の噴射を行い、原稿後端が読取位置を通過した後に前記空気供給手段の動作を停止し空気の噴射を停止することを特徴とする請求項３に記載の画像読取装置。
【請求項５】
前記空気供給手段の動作を制御する制御手段を有し、原稿の厚さ情報に応じて前記読取位置上の原稿が前記プラテンガラスと非接触状態を保つように前記空気供給手段による空気の供給量を制御することを特徴とする請求項１乃至請求項４のいずれか１項に記載の画像読取装置。
【請求項６】
前記空気供給手段は前記読取位置上を搬送される原稿の画像を読み取る読取手段の冷却機能を兼ねていることを特徴とする請求項１乃至請求項５のいずれか１項に記載の画像読取装置。
【請求項７】
前記プラテンガラスと前記空気噴射部とともに空気供給路を形成するシート状部材を有し、前記シート状部材は原稿を読取位置に案内する機能を兼ねていることを特徴とする請求項１乃至請求項６のいずれか１項に記載の画像読取装置。
【請求項８】
前記シート状部材は弾性体であることを特徴とする請求項７に記載の画像読取装置。
【発明の詳細な説明】
【技術分野】
【０００１】
本発明は、原稿の画像を読み取る画像読取装置に関し、例えば、スキャナ等の画像読取装置或いは複写機やファクシミリ装置等に設けられた画像読取装置に関する。
【背景技術】
【０００２】
従来、複写機やファクシミリ装置等に設けられた画像読取装置には、読取対象物であるシート状の原稿を画像読取装置に自動給送するため、原稿自動搬送装置の一例である原稿処理装置（ＡＤＦ：ＡｕｔｏＤｏｃｕｍｅｎｔＦｅｅｄｅｒ）を開閉自在に備えたものがある。
【０００３】
この原稿処理装置を備えた画像読取装置の読取方法の１つに、特開２００２−３５４１９３号公報（以下、特許文献１という）に開示されている、所謂流し読みという画像読取方法がある。この流し読み方法は、まず原稿処理装置の下方に設けられた読取装置をモータにより設定位置（読取位置）に移動して停止させる。その後、前記読取位置上を所定速度で搬送される原稿に対してランプユニットから光を出射して走査を行い、その反射光を読取装置により検出することで画像を読み取る方法（以下、流し読みという）である。
【０００４】
この流し読みを用いた原稿処理装置の読取位置近傍の構成を図９に示す。図９（ａ）に示す構成では、読取位置αの上流側と下流側に搬送ローラ対４０２，４０３を配し、読取位置α略上方にプラテンガラス４０４と所定の隙間を形成するガイド部材４０５を設けている。そして、読取装置４０１を読取位置αに移動して、原稿Ｐを前記隙間で規制しながら読取位置上４０１を一定の速度で搬送することで、原稿搬送時の速度変動を抑えて画像の読み取りを行っている。このとき、図９に示すように、読取位置αは原稿Ｐとプラテンガラス４０４とが接触する位置よりも上流に設けられ、この読取位置αにおいて原稿Ｐはプラテンガラス４０４から少し浮いた状態で画像を読み取られる。
【０００５】
また、図９（ａ）に示すガイド部材４０５の代わりに、図９（ｂ）に示すように駆動手段により回転可能なプラテンローラ４０６を設け、図９（ａ）に示すガイド部材４０５より微小な隙間で原稿Ｐをプラテンガラス４０４側に押し付けて搬送を行う構成もある。このプラテンローラ４０６は、コンタクトイメージセンサ（ＣＩＳ）などの読取深度が浅い読取装置４０１に対し、原稿Ｐの浮きを防止する構成として用いられる。このときの読取位置βは、プラテンローラ４０６近傍の原稿Ｐとプラテンガラス４０４が接触している位置に設けられている。
【０００６】
【特許文献１】特開２００２−３５４１９３号公報
【発明の開示】
【発明が解決しようとする課題】
【０００７】
しかしながら、前述した従来の流し読み可能な画像読取装置には、以下のような問題があった。
【０００８】
図９（ａ）に示す構成では、原稿Ｐの画像読み取りは、原稿Ｐがプラテンガラス４０４に接触していない位置（原稿とプラテンガラスとの接触位置よりも搬送方向上流側の読取位置α）で行われている。このため、原稿搬送で発生したトナー粉、紙粉、ゴムカス（ローラーゴム等）等の浮遊ゴミが飛散してプラテンガラス４０４上の読取位置αに滞留してしまう可能性がある。この読取位置αに前記浮遊ゴミが滞留してしまうと、前記浮遊ゴミがスジ画像として読み取られてしまうおそれがある。
【０００９】
一方、図９（ｂ）に示す構成では、原稿Ｐがプラテンガラス４０４に接触している位置を読取位置βに設定している。しかしながら、読取位置βにおいて原稿Ｐがプラテンガラス４０４と摺擦するため、原稿Ｐ上に付着しているインクや修正液、糊等のゴミ（付着ゴミ）がプラテンガラス４０４上に付着し易くなる。このため、プラテンガラス４０４上の読取位置βに前記付着ゴミが付着した場合にスジ画像として読み取られてしまうおそれがある。
【００１０】
このように、従来の流し読み構成では、前述したような浮遊ゴミや付着ゴミに起因するスジ画像の発生を防止することが困難であった。
【００１１】
そこで、本発明の目的は、プラテンガラス上に滞留する浮遊ゴミやプラテンガラスに付着する付着ゴミに起因するスジ画像の発生を防止することである。
【課題を解決するための手段】
【００１２】
上記目的を達成するための本発明の代表的な構成は、原稿の画像情報を読み取る読取位置に設けられたプラテンガラスと、前記プラテンガラスと所定の隙間をもって対向する対向部材と、を有し、前記読取位置上を搬送される原稿の画像を読み取ることが可能な画像読取装置であって、空気を供給する空気供給手段と、前記空気供給手段から供給された空気を噴射する空気噴射部と、を有し、前記空気噴射部を、前記読取位置よりも原稿搬送方向上流側に、原稿搬送方向と交差する幅方向全域にわたって設け、前記プラテンガラスと原稿との間に空気を噴射するように設けたことを特徴とする。
【発明の効果】
【００１３】
本発明によれば、空気噴射部から噴射された空気によりプラテンガラス上に空気層をつくることで、原稿をプラテンガラスに接触させずに安定した搬送を行うことができる。更に前記噴射された空気により、浮遊ゴミがプラテンガラス上に滞留することや、プラテンガラス上にゴミが付着することを防止することができ、前記浮遊ゴミや前記付着ゴミに起因するスジ画像の発生を防止することができる。
【発明を実施するための最良の形態】
【００１４】
以下、図面を参照して、本発明の好適な実施の形態を例示的に詳しく説明する。なお、ここでは、本発明の実施形態に係る画像読取装置を備えた画像形成装置としての複写機を例示して説明する。
【００１５】
〔画像形成装置の説明〕
図１及び図２において、画像形成装置１は、装置上部に原稿などの読取対象物の画像読み取りを行う画像読取装置としてのリーダ部１５０、装置下部に記録シートなどの記録対象物に画像記録を行う画像記録装置としてのプリンタ部３００を有している。更に前記リーダ部１５０は、その上部に原稿の自動給送を行う原稿自動搬送装置の一例である原稿処理装置（ＡＤＦ：ＡｕｔｏＤｏｃｕｍｅｎｔＦｅｅｄｅｒ）２を有している。
【００１６】
〔リーダ部の説明〕
リーダ部１５０は、原稿Ｐの画像面に対して光を照射するランプ１５２や、ランプ１５２にて照射された光に対応する原稿Ｐからの反射光を、レンズ１５７およびＣＣＤ１５８に導くミラー１５３，１５５，１５６などを有しており、これらによって原稿の画像を読み取る読取手段を構成している。ランプ１５２とミラー１５３は第１光学台１５９に取り付けられ、ミラー１５５，１５６は第２光学台１５１に取り付けられている。
【００１７】
また、光学台１５９，１５１は、ワイヤによってモータ３１４（図５参照）と結合され、モータ３１４の回転駆動により原稿台ガラス３と平行に移動制御される。
【００１８】
ポジションセンサ３１５（図３参照）は、第１光学台１５９のホームポジション位置を検知するためのセンサである。ポジションセンサ３１５の位置を基準にしてモータ３１４を正転又は逆転することにより光学台１５９，１５１を移動し、原稿台ガラス３上の原稿を光学的に走査する。
【００１９】
また、モータ３１４（図５参照）は、ステッピングモータにより構成されている。このモータ３１４には、エンコーダ３０２（図３参照）が接続されており、このエンコーダ３０２の出力により光学台１５９，１５１が何パルス分移動したかを認識できるようになっている。すなわち、ポジションセンサ３１５とエンコーダ３０２からのエンコーダーパルスにより、光学台１５９，１５１の位置を把握することが可能である。
【００２０】
原稿からの反射光は、ミラー１５３，１５５，１５６を介してレンズ１５７に導かれ、レンズ１５７によってＣＣＤ１５８上に集光される。ＣＣＤ１５８は、原稿情報を反映した上記反射光を光電変換し、電子的な画像信号として出力する。
【００２１】
このような構成下で、流し読みモード又は静止読みモードのいずれかのモードで原稿の画像情報を読み取ることができる。流し読みモードは、第１光学台１５９を原稿読取位置１６０に停止させた状態で、原稿処理装置２により原稿を搬送させながら原稿情報を読み取るモードである。一方、静止読みモードは、原稿を原稿台ガラス３上に固定的に載置して、光学台１５９，１５１を副走査方向に移動させながら原稿情報を読み取るモードである。
【００２２】
図３はリーダ部の制御系の概略構成を示すブロック図である。図３において、１５２は原稿の画像面に光を照射するランプ、３１４は光学台１５９，１５１を副走査方向に移動し原稿を走査するモータ、３０２はモータ３１４に接続されたエンコーダ、１５８は原稿の画像面からの反射光を光電変換するＣＣＤ、３０１はＣＣＤ１５８の出力信号をＡ／Ｄ変換するＡ／Ｄ変換回路、３１５は光学台１５９をホームポジションに位置決めするためのポジションセンサ、３０３はＡＤＦ原稿読取モード（流し読みモード）における正規の原稿読取位置を設定するためのバックアップＲＡＭ、３０４は制御手段としてのスキャナコントローラである。１６５はエアー（空気）を供給するエアー供給手段としてのファンである。
【００２３】
〔プリンタ部の説明〕
プリンタ部３００は周知の静電潜像画像形成を用いた画像記録装置である。図２を用いて画像出力部であるプリンタ部３００の説明をする。
【００２４】
図２において、１００は上段カセットで、カセット内の記録シートは分離爪と給送ローラ１０１の作用によって１枚ずつ分離給送されてレジストローラ１０６に導かれる。１０２は下段カセットで、カセット内の記録シートは分離爪と給送ローラ１０３の作用によって１枚ずつ分離給送されてレジストローラ１０６に導かれる。１０４は手差しガイドで、１枚ずつ記録シートがローラ１０５を介してレジストローラ１０６に導かれる。１０８はシート積載装置（デッキタイプ）で、モータ等により昇降する中板１０８ａを備え、中板１０８ａ上の記録シートは、給送ローラ１０９と分離爪の作用により１枚ずつ分離給送されて搬送ローラ１１０に導かれる。
【００２５】
１１２は感光体ドラム、１１４は現像器、１１５は転写帯電器、１１６は分離帯電器であり、画像形成部を構成する。
【００２６】
１１７は画像形成された記録シートを搬送する搬送ベルト、１１８は定着装置、１１９は搬送ローラ、１２０はダイバータである。画像形成された記録シートはダイバータ１２０によって排出ローラ１２１に導かれ、シート処理装置としてのソータ１２２内に搬送される。ソータ１２２は、ノンソートトレイ１２２ａ、ソートビントレイ１２２ｂ、ノンソートトレイ排出ローラ１２２ｃ、ソートビントレイ排出ローラ１２２ｄを有し、ノンソートトレイとソートビントレイが昇降して記録シートを一段ずつ区分けする。尚、ソータに代わって、排出トレイを装着する場合もある。
【００２７】
両面複写、多重複写の場合には、一方の面に画像が定着された記録シートは、定着後、ダイバータ１２０により分岐されて搬送ローラ２０１により搬送される。両面複写の場合には、記録シートはベルト２０２，２０４、パス２０６、排出ローラ２０５を経て中間トレイ２００に排出される。多重複写の場合には、記録シートはダイバータ２０３により中間トレイ２００に排出される。２０９，２１０は中間トレイ２００上の記録シートを給送する半月ローラ、２１１は記録シートを一枚ずつ分離給送する分離ローラ対、２１３，２１４，２１５は記録シートをレジストローラ１０６へ搬送する搬送ローラである。
【００２８】
〔原稿処理装置の説明〕
原稿処理装置２は、リーダ部１５０の上方にヒンジ機構９５，９６（図２参照）を介してプラテンガラス１６１、原稿台ガラス３に対して開閉可能に設けられている。以下、原稿処理装置２の詳細を図１に基づいて説明する。
【００２９】
〔原稿トレイ部の説明〕
図１において、原稿トレイ４は、読取対象物としてのシート状の原稿Ｐを積載するためのものである。原稿トレイ４には一対の幅方向規制板４９が原稿の幅方向にスライド自在に配置されている。幅方向規制板４９によって原稿トレイ４に積載される原稿Ｐの幅方向を規制することで給送時の搬送安定性を確保できる。
【００３０】
〔分離部の説明〕
原稿トレイ４の上方には、給送ローラ５が設けられている。給送ローラ５は分離搬送ローラ８の回転駆動に連れて回転し、シート原稿を給送する。
【００３１】
給送ローラ５は通常、ホームポジションである上方（図中点線位置）に待避している位置をとり、原稿セット作業を阻害しないようにしている。給送動作が開始されると図中実線位置に下降して原稿Ｐの上面に当接する。給送ローラ５は揺動可能なアームに軸支されるので、該アームを揺動して給送ローラ５を上下に動かせる。
【００３２】
分離パッド６は分離搬送ローラ８の対向側に配置され、分離搬送ローラ８側に圧を加えている。分離パッド６は分離搬送ローラ８より摩擦が若干小さいゴム材料などで形成され、給送ローラ５にて給送される原稿Ｐを一枚毎にさばき、分離搬送ローラ８で給送する。
【００３３】
〔搬送部の説明〕
レジストローラ１２、レジスト従動ローラ１１は分離部６，８にて給送された原稿の先端をそろえるレジスト手段であり、静止したレジストローラ対１１、１２のニップ部に向けて分離した原稿先端を突き当て、原稿にループを生じさせて先端をそろえている。
【００３４】
次に原稿はリードローラ２２、リード従動ローラ１４によりプラテンガラス１６１に向けて搬送される。プラテンガラス１６１は原稿の画像情報を読み取る読取位置１６０に設けられている。プラテンガラス１６１の対向位置には所定の隙間をもって対向部材ととしてのプラテンローラ２４が設けられている。プラテンガラス１６１に搬送された原稿は、読取位置１６０にて画像情報が読み取られる。読取位置１６０を通過した原稿は、ガイド部材としてのジャンプ台１６２によりすくい上げられ、リード排出ローラ２３、リード排出従動ローラ１６により搬送される。
【００３５】
画像読み取りが終了すると、原稿は排出ローラ１８により排出トレイ１０に排出される。原稿の表裏面の画像を読み取る両面モード時には、原稿を排出ローラ１８にて排出せずスイッチバックして、上方の紙パスに案内してレジストローラ１１，１２に向けて搬送する。原稿がレジストローラ１１，１２に到達すると、上記原稿の表面の読み取りと同様に原稿の裏面の読み取りが行われる。
【００３６】
〔駆動系の説明〕
図５を用いて上記原稿処理装置２の各ローラなどを駆動するための駆動系の説明をする。
【００３７】
分離モータ５０はステッピングモータであり、正逆転により原稿の分離・搬送を行う。分離モータ５０が給送方向に回転したときには、給送ローラ５がホームポジションである上方（図中点線位置）から降下し、原稿トレイ４上の最上位のシート原稿に圧接させると共に、給送ローラ５と分離ローラ８を駆動する。
【００３８】
分離モータ５０が給送方向とは逆方向に回転したときには、給送ローラ５をホームポジション位置である上方（図中点線位置）に持上げ保持すると共に、レジストローラ１２を駆動する。
【００３９】
リードモータ５１はリードローラ２２、プラテンローラ２４、リード排出ローラ２３、排出ローラ１８を駆動するステッピングモータである。搬送される原稿の画像を読み取る速度で各ローラを駆動する。
【００４０】
離間ソレノイド５７は両面原稿スイッチバック時に、排出ローラ１８の従動コロを圧着・離間させる。
【００４１】
〔センサの説明〕
更に図５を用いて上記原稿処理装置２の各センサの説明をする。
【００４２】
原稿トレイ４にはシート原稿Ｐがセットされたことを検出する透過型の光センサである原稿セット検知センサ４０が設けられている。
【００４３】
また、幅方向規制板４９の位置を検出する事により原稿トレイ４上にセットされた原稿束Ｐの幅方向の長さを検知する原稿幅検知センサ４４が原稿トレイ４の下部に設けられている。
【００４４】
分離ローラ８とレジストローラ１２の間には原稿を検知する透過型の光センサであるレジストセンサ７が設けられ、分離給送された原稿の先端を検知し、レジストローラ１２への突き当て量（ループ量）を制御するタイミングなどを検知している。
【００４５】
リードローラ２２の直後に原稿を検知する反射型光センサであるリードセンサ１３が設けられ、流し読みモード時の原稿読取位置１６０での画像読み取り開始タイミングの基準信号としている。
【００４６】
排出ローラ１８の直前には原稿を検知する透過型光センサである排出センサ１７が設けられ、原稿の排出タイミングなどを検知している。
【００４７】
〔給送動作の説明〕
原稿セット検知センサ４０によって原稿トレイ４上にある原稿Ｐが検知されると、給送ローラ５が降下して原稿束上に当接する。
【００４８】
複写機の操作部で複写条件が入力されスタートキーが押されると、原稿トレイ４上の原稿幅検知センサ４４によって原稿サイズの検出が行われる。さらに、分離ソレノイド５７の保持が解除され原稿は給送ローラ５の給送力を受けて下流部へ進出する。
【００４９】
次に原稿トレイ４から進出してきた原稿Ｐを分離部６，８により一枚毎に分離して下流部に搬送する。
【００５０】
分離部６，８を通過した原稿Ｐはレジストローラ１２で先端を揃えてレジストローラ１２にて搬送する。
【００５１】
原稿は、先端がリードローラ２２に到達してプラテンガラス１６１に向けて搬送される。そして、原稿は、プラテンローラ２４及びリード排出ローラ２３にて搬送されながら、原稿読取位置１６０にて画像の読み取りが行われる。画像読み取りが終了すると、排出ローラ１８で排出トレイ１０に積載される。
【００５２】
両面モード時には、原稿を排出ローラ１８にて排出せずスイッチバックして、上方の紙パスに案内してレジストローラ１１，１２に向けて搬送する。原稿がレジストローラ１１，１２に到達すると、上記原稿の表面の読み取りと同様に原稿の裏面の読み取りが行われる。
【００５３】
〔制御回路のブロック説明〕
図４は、本実施形態に係る原稿処理装置２の制御装置の回路構成を示すブロック図であり、制御回路はマイクロプロセッサ（ＣＰＵ）５４を中心に構成されており、ＣＰＵ５４の入出力ポートには、各種負荷のドライブ回路およびセンサ信号が接続される。
【００５４】
また、制御回路はバッテリによりバックアップされるＲＡＭと、制御シーケンスソフトの格納されたＲＯＭを備えている。また、５５は通信用ＩＣであり、画像形成装置本体（プリンタ部３００）とのデータ通信を制御するためのものである。
【００５５】
分離モータ５０とリードモータ５１は各ステッピングモータドライバによって駆動される。各ドライバには、ＣＰＵ５４から相励磁信号とモータ電流制御信号が入力されている。離間ソレノイド５７はドライバによって駆動され、ＣＰＵ５４の入出力ポートに接続された信号によって、その動作を制御されるものである。
【００５６】
レジストセンサ７、原稿セット検知センサ４０、リードセンサ１３、排出センサ１７、原稿幅検知センサ４４等の各種センサは、ＣＰＵ５４の入力ポートに接続されて、装置内における、原稿の挙動をおよび、可動負荷の挙動をモニターするために用いられる。
【００５７】
〔画像読取部の説明〕
図６〜図８を用いて原稿の画像を読み取る画像読取部の説明をする。
【００５８】
図６〜図８において、１６１はプラテンガラスであり、原稿の画像を読み取る読取位置１６０に設けられ、ガラス表面にはＥＣコート（透明導電コート）が施されている。
【００５９】
２４は対向部材としての白色プラテンローラであり、前記プラテンガラス１６１と対向する位置に所定の間隔をもって設けられ、リードモータ５１の駆動により搬送方向に回転する。またプラテンローラ２４は、プラテンガラス１６１とのギャップがガラス突き当て手段により所定の間隔（ここでは０．５ｍｍ）に保証されている。２５は従動回転体としてのシート押さえコロであり、読取位置１６０よりも原稿搬送方向上流側においてプラテンガラス１６１とのギャップは所定の間隔（ここでは０．８ｍｍ）に保証されている。
【００６０】
２８は白色のポリエステルフィルムであり、プラテンローラ２４とシート押さえコロ２５を抱え、リードローラ２２を支点に揺動自在に設けられた揺動部材２９に取り付けられ、プラテンローラ２４近傍の白色度を安定させる。
【００６１】
空気噴射部としてのフラットエアーノズル１６６は、空気供給手段としてのファン１６５から供給されたエアーを噴射するものである。このフラットエアーノズル１６６は、読取位置１６０よりも原稿搬送方向上流側に設けられている。またフラットエアーノズル１６６は、図７に示すように、原稿搬送方向と交差する幅方向全域にわたって設けられている。このフラットエアーノズル１６６は、プラテンガラス１６１と原稿との間にエアーを噴射するように設けられている。このフラットエアーノズル１６６の開口面積は１×３００ｍｍ２である。フラットエアーノズル１６６から噴射するエアーは前記空気供給手段としてのファン１６５から供給される。
【００６２】
図７に示すように、シート状部材としてのシート材１６７は、原稿の幅方向全域にわたってフラットエアーノズル１６６の上部に貼られている。このシート材１６７は、プラテンガラス１６１とフラットエアーノズル１６６とともにエアー供給路を形成し、フラットエアーノズル１６６から噴射されたエアーのダクトとしての役割をもつ。またシート材１６７は弾性体であり、その上面は原稿Ｐを読取位置１６０に案内する役割を持つ。原稿Ｐはガイド部１６９に沿って右斜め下方向に搬送されてくるが、シート材１６７にガイドされることにより略水平に向きをかえる。
【００６３】
また図７に示すように、前記ガイド部材としてのジャンプ台１６２は、読取位置１６０よりも原稿搬送方向下流側に設けられ、前記読取位置１６０を通過した原稿Ｐを案内する。このジャンプ台１６２にはリブ１６２ａが設けられていて、原稿Ｐを上方にガイドすると共に、リブ１６２ａ間の空間が前記フラットエアーノズル１６６から噴射されたエアーの抜ける空気抜け部として機能する。このようにジャンプ台１６２のリブ１６２ａ間でエアーが抜けるようにしたことで、図８に示すエアーの流れ１６８が形成される。
【００６４】
図８に示すように、エアーの流れ１６８は、前記フラットエアーノズル１６６とプラテンガラス１６１とシート材１６７だけでなく、更にフラットエアーノズル１６６に設けられた側壁１６６ａ（図７参照）と原稿Ｐとジャンプ台１６２とにより形成されたダクトにより形成される。
【００６５】
また原稿Ｐは、プラテンガラス１６１上において、フラットエアーノズル１６６から噴射されたエアーにより上方に持ち上げられるが、シート押さえコロ２５やプラテンローラ２４に規制されているため、高さ方向のばたつきがなく、位置は安定する。
【００６６】
空気供給手段としてのファン１６５は制御手段としてのスキャナコントローラ３０４により動作が制御されている（図３参照）。このファン１６５は、スキャナコントローラ３０４により、原稿が読取位置１６０にあるときのみエアーの供給を行うよう制御されている。具体的には、原稿先端が読取位置１６０に達したときにファン１６５を駆動してエアーの供給を行い、原稿後端が読取位置１６０を通過した後にファン１６５の駆動を停止してエアーの供給を停止する。このように、原稿が読取位置１６０に存在するときのみファン１６５を駆動することで省エネルギー化を図っている。
【００６７】
またユーザー入力などによる原稿の厚さ情報に応じて、読取位置１６０上の原稿Ｐがプラテンガラス１６１と非接触状態を保つように、前記ファン１６５によるエアーの供給量の強弱を制御するようにしても良い。具体的には、厚さ（剛性）が異なる２種の原稿の場合、厚手（剛性が高い）の原稿の場合は、薄手（剛性の低い）の原稿に比べて、前記ファン１６５によるエアーの供給量を多くする。これにより、原稿の厚さ（剛性）にかかわらず、図８に示す如く原稿Ｐがプラテンガラス１６１と非接触状態を保つことができる。
【００６８】
また前記ファン１６５は、読取位置１６０上を搬送される原稿Ｐの画像を読み取る読取手段を構成する光学台１５９の冷却機能を兼ねている。具体的には、図６に示すように、フラットエアーノズル１６６における光学台１５９近傍の壁に開口部１７０を設け、光学台１５９にエアーを吹き付けることにより該光学台１５９を冷却している。特に流し読みを連続して行う場合、光学台１５９のランプが同じ位置（読取位置１６０）で点灯するため、該読取位置１６０の温度上昇を抑制することができる。
【００６９】
なお、前述した実施形態では、画像読取装置を設けた画像形成装置として複写機を例示したが、本発明はこれに限定されるものではなく、例えばスキャナ等の画像読取装置単体であっても良いし、或いはファクシミリ装置等のその他の画像形成装置に設けた画像読取装置であっても良く、流し読みが可能な画像読取装置に本発明を適用することにより同様の効果を得ることができる。
【図面の簡単な説明】
【００７０】
【図１】原稿処理装置を有する画像読取装置の概略構成を示す模式断面図
【図２】前記画像読取装置を設けた画像形成装置の概略構成を示す模式断面図
【図３】前記画像読取装置の制御系を示すブロック図
【図４】前記原稿処理装置の制御系を示すブロック図
【図５】原稿処理装置を有する画像読取装置の駆動系を説明する構成図
【図６】前記画像読取装置における読取位置周辺の構成を示す要部拡大断面図
【図７】前記画像読取装置におけるフラットエアーノズルまわりの上視図
【図８】前記画像読取装置における読取位置周辺のエアーの流れを示す要部拡大断面図
【図９】従来の読取位置周辺の構成を示す説明図
【符号の説明】
【００７１】
１    …画像形成装置
２    …原稿処理装置
３    …原稿台ガラス
２２  …リードローラ（搬送部）
２３  …リード排出ローラ（搬送部）
２４  …プラテンローラ（対向部材）
１５０ …リーダ部（画像読取装置）
１５９ …光学台
１６０ …読取位置
１６１ …プラテンガラス
１６２ …ジャンプ台（ガイド部材）
１６５ …ファン（空気供給手段）
１６６ …フラットエアーノズル（空気噴射部）
１６７ …シート材（シート状部材）
１６８ …エアーの流れ
３００ …プリンタ部（画像記録装置）
３０４ …スキャナコントローラ（制御手段）
【図１】
2006276131.tif 000003
【図２】
2006276131.tif 000004
【図３】
2006276131.tif 000005
【図４】
2006276131.tif 000006
【図５】
2006276131.tif 000007
【図６】
2006276131.tif 000008
【図７】
2006276131.tif 000009
【図８】
2006276131.tif 000010
【図９】
2006276131.tif 000011